(57)【特許請求の範囲】
【請求項１】
野縁受に野縁を取付ける構造であって、
野縁受は、基板部と、基板部の上端及び下端よりそれぞれ同方向に延長して互いに平行に相対峙する上板部及び下板部とを備え、基板部の上下方向と直交する方向に長い長尺材により形成され、
野縁は、底板部と、底板部の両側縁よりそれぞれ上方に延長して互いに平行に相対峙する一対の側板部と、各側板部の上端より互いに近づく方向に延長して底板部と互いに平行に相対峙するとともに先端縁が互いに間隔を隔てて相対峙する一対の上板部と、各上板部の先端縁より下方に延長して互いに平行に相対峙する一対の垂下板部と、側板部と上板部と垂下板部とによって形成された係合溝とを備え、底板部の両側縁に沿った方向に長い長尺材により形成され、
野縁取付装置は、野縁取付具と補強取付具とを備え、
野縁取付具は、野縁受の下方に野縁受の延長方向と直交する方向に延長するように配置された野縁の各上板部の上面と野縁受の下板部の下面とが接触するように野縁を野縁受に取付けるものであって、野縁受の上板部の先端縁及び下板部の先端縁と接触する上下板接触部と、上下板接触部より延長して野縁の一対の上板部間を介して野縁の内側に位置されて野縁の係合溝と係合する係合部と、上下板接触部より延長するように設けられて野縁受に取付けられる取付部とを備え、
補強取付具は、野縁取付具によって野縁受に取付けられた野縁の上面に載置されるとともに野縁受の下板部の先端縁とで野縁取付具の上下板接触部を挟み込む載置部と、載置部の両方の側端より野縁受の下板部の下方を通過するように設けられて野縁の両方の側板部にねじ止めされる一対の野縁取付部と、各野縁取付部より延長して野縁受の基板部にねじ止めされる一対の野縁受取付部とを備えたことを特徴とする野縁受に野縁を取付ける構造。
【発明の詳細な説明】
【技術分野】
【０００１】
本発明は、野縁受に野縁を取付ける構造であって、地震時等において天井構成部材の落下を防止可能とする構造に関する。
【背景技術】
【０００２】
天井下地は、天井コンクリートスラブ、吊ボルト、ハンガー、野縁受、野縁取付具、野縁により形成される。天井下地は、天井コンクリートスラブに埋設したインサートナットに吊ボルトを締結して吊ボルトを天井コンクリートスラブより下方に突出するように設け、吊ボルトにハンガーを取付け、ハンガーに野縁受を取付け、野縁取付具により野縁を野縁受に取付けてなる。
野縁受が、基板部と基板部の上端及び下端より同方向に延長して互いに平行に相対峙する上板部及び下板部とを備え、基板部の上下方向と直交する方向に長い長尺材により形成され、野縁が、野縁受の下方に野縁受の延長方向と直交する方向に延長するように配置されて野縁受の下板部の下面と野縁の上面とが接触するように野縁取付装置によって野縁受に取付けられる構造において、野縁受の下板部の先端縁側を嵌め込むスリットを有して野縁の側面にねじ止めされる接合金具用補強金具と、野縁受の下板部の先端縁側を上下から挟み込む上板と下板を有して接合金具用補強金具に固定される接合金具とを備えた野縁取付装置が知られている（例えば、特許文献１等参照）。
【先行技術文献】
【特許文献】
【０００３】
【特許文献１】特開２００８−５０７８４号公報
【発明の概要】
【発明が解決しようとする課題】
【０００４】
しかしながら、上記野縁取付装置では、地震時等において、野縁受に力が加わった場合に、野縁受の下板部が接合金具用補強金具及び接合金具から外れる方向に動く可能性があり、この場合、天井ボード、野縁、野縁取付具などの天井構成部材の落下を招く可能性があるという課題があった。
本発明は、上記課題を解消すべく、野縁受に野縁を取付ける構造であって、地震時等において、天井構成部材の落下を防止できる構造を提供する。
【課題を解決するための手段】
【０００５】
本発明は、野縁受に野縁を取付ける構造であって、野縁受は、基板部と、基板部の上端及び下端よりそれぞれ同方向に延長して互いに平行に相対峙する上板部及び下板部とを備え、基板部の上下方向と直交する方向に長い長尺材により形成され、野縁は、底板部と、底板部の両側縁よりそれぞれ上方に延長して互いに平行に相対峙する一対の側板部と、各側板部の上端より互いに近づく方向に延長して底板部と互いに平行に相対峙するとともに先端縁が互いに間隔を隔てて相対峙する一対の上板部と、各上板部の先端縁より下方に延長して互いに平行に相対峙する一対の垂下板部と、側板部と上板部と垂下板部とによって形成された係合溝とを備え、底板部の両側縁に沿った方向に長い長尺材により形成され、野縁取付装置は、野縁取付具と補強取付具とを備え、野縁取付具は、野縁受の下方に野縁受の延長方向と直交する方向に延長するように配置された野縁の各上板部の上面と野縁受の下板部の下面とが接触するように野縁を野縁受に取付けるものであって、野縁受の上板部の先端縁及び下板部の先端縁と接触する上下板接触部と、上下板接触部より延長して野縁の一対の上板部間を介して野縁の内側に位置されて野縁の係合溝と係合する係合部と、上下板接触部より延長するように設けられて野縁受に取付けられる取付部とを備え、補強取付具は、野縁取付具によって野縁受に取付けられた野縁の上面に載置されるとともに野縁受の下板部の先端縁とで野縁取付具の上下板接触部を挟み込む載置部と、載置部の両方の側端より野縁受の下板部の下方を通過するように設けられて野縁の両方の側板部にねじ止めされる一対の野縁取付部と、各野縁取付部より延長して野縁受の基板部にねじ止めされる一対の野縁受取付部とを備えたので、野縁が野縁取付具及び補強取付具によって野縁受に取付けられたことにより、地震時等に、野縁受に力が加わった場合、野縁の動きが規制され、野縁受の倒れを抑制できるので、天井構成部材の落下を防止できる。
【図面の簡単な説明】
【０００６】
【図１】天井下地構造を一方向から見た斜視図（実施形態１）。
【図２】天井下地構造を他方向から見た斜視図（実施形態１）。
【図３】野縁取付具を一方向及び他方向から見た斜視図（実施形態１）。
【図４】補強取付具を一方向及び他方向から見た斜視図（実施形態１）。
【図５】補強取付具を示す図（実施形態１）。
【図６】補強取付具の取付方法を示す図（実施形態１）。
【図７】天井下地構造を一方向から見た斜視図（実施形態２）。
【図８】野縁取付具の一方部材を示す斜視図（実施形態２）。
【図９】野縁取付具の他方部材を示す斜視図（実施形態２）。
【図１０】天井下地構造を一方向から見た斜視図（実施形態３）。
【発明を実施するための形態】
【０００７】
実施形態１
図１を参照し、野縁取付装置を用いた天井下地を説明する。
天井下地１は、図外の天井コンクリートスラブ、吊ボルト２、ハンガー３、野縁受４、野縁取付装置５、野縁６により形成される。
【０００８】
天井下地１の施工は、天井コンクリートスラブに埋設した図外のインサートナットに吊ボルト２を締結して吊ボルト２を天井コンクリートスラブより下方に突出させて設け、吊ボルト２にハンガー３を取付け、ハンガー３に野縁受４を取付け、野縁取付装置５により野縁６を野縁受４に取付ける。
【０００９】
ハンガー３は、取付部１０、支持部１１、野縁受保持部１２を備える。
取付部１０は四角形の平板により形成される。
支持部１１は、吊ボルト２に取付けられた取付部１０の平板の一辺縁より延長して取付部１０の板面と垂直な板面を有した延長方向に長い四角形の平板により形成される。
野縁受保持部１２は、支持部１１の下端部１１ａと、支持部１１の延長方向の先端より延長して支持部１１の板面と垂直でかつ取付部１０の板面と平行に対面する板面を有した四角形の平板により形成された下板部１３と、下板部１３の延長方向の先端より延長して支持部１１の下端部１１ａの板面と平行に対面する板面を有した四角形の平板により形成された立ち上がり部１４とによって、凹形状に形成される。立ち上がり部１４の上部には立ち上がり部１４の板面を貫通するボルト通し孔１９ａが形成される。また、支持部１１の下端部１１ａには下端部１１ａを貫通するねじ通し用の貫通孔１１ｂ（図２参照）が形成されるとともに、支持部１１にはボルト通し孔１９ａと対向するボルトねじ孔１１ｃが形成される。
【００１０】
取付部１０の板面には吊ボルト２を貫通させるためのボルト通しねじ孔１０ａが板面を貫通するように形成される。吊ボルト２の下端１５からボルト通しねじ孔１０ａに吊ボルト２を通し、取付部１０の板面を上下から挟むように吊ボルト２のねじ部１６に取付けられた上下のナット１７；１８がそれぞれ締め付けられることによって取付部１０が吊ボルト２に取付けられる。
【００１１】
即ち、ハンガー３は、取付部１０が吊ボルト２に取付けられた場合に、支持部１１が取付部１０の平板の一辺縁より下方に延長し、野縁受保持部１２が支持部１１の下部側に設けられた構成である。
【００１２】
野縁受４は、長尺な方向と直交する方向に切断された断面がコ字形状である長尺金物よりなる。
野縁受４は、基板部２０、下板部２１、上板部２２を備える。
基板部２０は、一方方向に長い長尺な帯状の平板により形成される。
下板部２１及び上板部２２は、基板部２０の長尺な方向と直交する方向の両端縁である下端及び上端よりそれぞれ同方向に延長し、基板部２０の板面と垂直でかつ互いに平行に相対峙する板面を有した帯状の平板により形成される。
【００１３】
野縁受４は、基板部２０の上下方向と直交する方向に長い長尺材により形成され、下板部２１の外側の板面がハンガー３の野縁受保持部１２における下板部１３の内側の板面と接触し、基板部２０の外側の板面がハンガー３の野縁受保持部１２における下端部１１ａの内側の板面と接触し、両方の側板部２１；２２の先端縁２１ａ；２２ａがハンガー３の野縁受保持部１２における立ち上がり部１４の内側の板面と接触する状態となるように、長尺な方向がハンガー３の支持部１１の延長方向と直交する方向に延長するように向けられてハンガー３の野縁受保持部１２に保持される。そして、ハンガー３の立ち上がり部１４のボルト通し孔１９ａにボルト１９をボルト１９の先端側から挿入するとともにボルト１９の先端側を支持部１１のボルトねじ孔１１ｃに螺入することにより、ボルト１９が野縁受４の上板部２２の上面の上方に位置され、野縁受４の上下方向の動きが規制される。また、例えば、図外のブレース材（例えば特許文献１の図７等参照）の近傍に配置されるハンガー３の貫通孔１１ｂに図外のねじを通してねじを野縁受４の基板部２０にねじ込んで野縁受４をハンガー３に固定することにより、野縁受４の延長方向（長手方向）に沿った方向の動きが規制される。尚、支持部１１にボルトねじ孔１１ｃの代わりに図外のボルト通し孔を形成しておき、このボルト通し孔を貫通するボルト１９に支持部１１を挟むようにナットを装着しておいてナットを締結することでボルトの先端側をボルト通し孔に固定してもよい。
【００１４】
野縁６は、長尺な方向と直交する方向に切断された断面がほぼ凹形状である長尺金物よりなる。
野縁６は、底板部３０、一対の側板部３１；３２、一対の上板部３３；３４、一対の垂下板部３５；３６を備える。
底板部３０は、一方方向に長い長尺な帯状の平板により形成される。
一対の側板部３１；３２は、底板部３０の長尺な方向と直交する方向の両端縁よりそれぞれ同方向に延長し、底板部３０の板面と垂直でかつ互いに平行に相対峙する板面を有した帯状の平板により形成される。
一対の上板部３３；３４は、各側板部３１；３２の延長方向の先端より互いに近づく方向に延長し、側板部３１；３２板面と垂直な板面を有した帯状の平板により形成され、延長方向の先端縁が互いに間隔を隔てて相対峙する。
一対の垂下板部３５；３６は、各上板部３３；３４の互いに向かい合う先端縁より延長し、上板部３３；３４と垂直でかつ互いに平行に相対峙する板面を有した帯状の平板により形成される。
つまり、野縁６は、底板部３０の両側縁に沿った方向に長い長尺材により形成され、底板部３０の板面と上板部３３；３４の板面とが互いに平行であり、側板部３１；３２の板面と垂下板部３５；３６の板面とが互いに平行である。
側板部３１と上板部３３と垂下板部３５とによって係合溝３７が形成され、側板部３２と上板部３４と垂下板部３６とによって係合溝３８が形成される。これら係合溝３７；３８に後述する野縁取付具７の係合部４３；４４；５３（図３参照）が係合される。
【００１５】
野縁６は、一対の上板部３３；３４の外側の板面がハンガー３の野縁受保持部１２に保持された野縁受４の下板部２１の外側の板面と接触し、長尺な方向がハンガー３の野縁受保持部１２に保持された野縁受４の長尺な方向と直交する方向を向くように配置される。
【００１６】
図１乃至図５のように、野縁取付装置５は、野縁取付具７と補強取付具８とを備える。尚、図３（ａ）は野縁取付具７を一方方向から見た斜視図、図３（ｂ）は野縁取付具７を他方方向から見た斜視図、図４（ａ）は補強取付具８を一方方向から見た斜視図、図４（ｂ）は補強取付具８を他方方向から見た斜視図、図５（ａ）は補強取付具８の正面図、図５（ｂ）は補強取付具８の平面図、図５（c）は補強取付具８の側面図である。
野縁取付具７は、一方部材４０と、他方部材５０と、一方部材４０と他方部材５０とを連結する連結手段６０とを備える。
【００１７】
一方部材４０は、基板接触部４１、下板部４２、係合部４３；４４、上板部４５、立ち上がり部４６、ボルト４７、貫通孔４８を備える。
基板接触部４１は、野縁受４の基板部２０の外側の板面と接触する板面を有した平板により形成される。
下板部４２は、基板接触部４１の下端より延長して基板接触部４１の板面と垂直な板面を有した平板により形成され、野縁６の一対の垂下板部３５；３６の対向間の開口３９（図１参照）を介して野縁６の内側に入り込んで板面が野縁６の底板部３０と平行に対面するように位置される。
係合部４３；４４は、下板部４２の下端側両側縁より延長するように設けられる。係合部４３；４４は、それぞれ、下板部４２の下端側両側縁より上方に延長して下板部４２の板面と垂直な板面を有した平板により形成される縦係止板部６５と、縦係止板部６５の上端より延長して縦係止板部６５の板面に対して垂直な板面を有する平板により形成された横係止板部６６とを備える。係合部４３；４４のそれぞれの横係止板部６６は、係合部４３；４４のそれぞれの縦係止板部６５の上端より互いに離れる方向に延長する。
係合部４３が野縁６の係合溝３７に挿入されて係合部４３の縦係止板部６５の外側の板面が野縁６の垂下板部３５の内側の板面と近接するように位置されることで係合部４３の水平方向の移動が垂下板部３５により規制され、係合部４３の横係止板部６６の上面が野縁６の上板部３３の下面と接触することで係合部４３の上下方向の移動が上板部３３により規制される。同様に、係合部４４が野縁６の係合溝３８に挿入されて係合部４４の縦係止板部６５の外側の板面が野縁６の垂下板部３６の内側の板面と近接するように位置されることで係合部４４の水平方向の移動が垂下板部３６により規制され、係合部４４の横係止板部６６の上面が野縁６の上板部３４の下面と接触することで係合部４４の上下方向の移動が上板部３３により規制される。
上板部４５は、基板接触部４１の上端より下板部４２と同一方向に延長し、基板接触部４１の板面と垂直な板面を有した平板により形成される。
立ち上がり部４６は、上板部４５の延長方向の先端より基板接触部４１から離れる方向に延長して上板部４５の板面と垂直な板面を有した平板により形成される。
ボルト４７は、頭部４７ａが立ち上がり部４６に固定されて立ち上がり部４６の板面に対して垂直な方向に延長する。
貫通孔４８は、ねじ４９を貫通させるための貫通孔であり、基板接触部４１の板面を貫通するように形成される。
【００１８】
他方部材５０は、上下板接触部５１、下板部５２、係合部５３、上板部５４、ボルト通し孔５５を備える。
上下板接触部５１は、野縁受４の下板部２１の先端縁２１ａ及び上板部２２の先端縁２２ａと接触する板面を有した平板により形成される。
下板部５２は、上下板接触部５１の下端より延長して上下板接触部５１の板面と垂直な板面を有した平板により形成され、野縁６の一対の垂下板部３５；３６の対向間の開口３９を介して野縁６の内側に入り込んで板面が野縁６の底板部３０と平行に対面するように位置される。
係合部５３は、下板部５２の下端側一側端より延長するように設けられる。係合部５３は、下板部５２の下端側一側端より上方に延長して下板部５２の板面と垂直な板面を有した平板により形成される縦係止板部６５と、縦係止板部の上端より延長して縦係止板部の板面に対して垂直な板面を有する平板により形成された横係止板部６６とを備える。
係合部５３が野縁６の係合溝３８に挿入されて係合部５３の縦係止板部６５の外側の板面が野縁６の垂下板部３６の内側の板面と近接するように位置されることで係合部５３の水平方向の移動が垂下板部３６により規制され、係合部５３の横係止板部６６の上面が野縁６の上板部３４の下面と接触することで係合部５３の上下方向の移動が上板部３４により規制される。
上板部５４は、上下板接触部５１の上端より下板部５２から離れる方向に延長して上下板接触部５１の板面と垂直な板面を有した平板により形成される。
ボルト通し孔５５は、上下板接触部５１の板面を貫通するように形成される。
【００１９】
連結手段６０は、前述のように頭部４７ａが一方部材４０の立ち上がり部４６に加締める固定等により固定されたボルト４７と、ボルト通し孔５５に挿入されたボルト４７の先端側から螺入されてボルト４７に締結されることによって一方部材４０の立ち上がり部４６の内側の板面と他方部材５０の上下板接触部５１の内側の板面とを接触させた状態に固定するナット６１とを備える。
【００２０】
野縁取付具７による野縁取付方法の一例を説明する。
まず、吊ボルト２にハンガー３を取付ける。この際、取付部１０の位置をナット１７；１８によって調整することで天井レベルを調整する。吊ボルト２に取付けたハンガー３の野縁受保持部１２に野縁受４を下板部２１側から挿入することによって、ハンガー３の野縁受保持部１２に基板部２０が上下方向にまっすぐに延長するように野縁受４を取付ける。野縁受４の下板部２１の下方に、上板部３３；３４側を上向きにして野縁６を配置する。野縁６は、長尺な方向が野縁受４の長尺な方向と交差するように配置する。
そして、一方部材４０の係合部４３を野縁６の係合溝３７に挿入するとともに係合部４４を野縁６の係合溝３８に挿入して、一方部材４０の上板部４５の下面と野縁受４の上板部２２の上面とが接触し、かつ、一方部材４０の基板接触部４１の内側の板面と野縁受４の基板部２０の外側の板面とが接触する状態にする。
次に、他方部材５０の係合部５３を野縁６の係合溝３８に挿入するとともに、一方部材４０のボルト４７を他方部材５０のボルト通し孔５５に通し、他方部材５０の上下板接触部５１の内側の板面と野縁受４の上板部２２の先端縁２２ａ及び下板部２１の先端縁２１ａとを接触させる。そして、ボルト４７にナット６１を挿入してナット６１を締結することにより、一方部材４０の立ち上がり部４６の内側の板面と他方部材５０の上下板接触部５１の内側の板面とが強固に接触する状態に保持され、野縁６が野縁取付装置５によって野縁受４に取付けられる。そして、例えば、図外のブレースの近傍に配置される一方部材４０の基板接触部４１に形成された貫通孔４８にねじ４９を通してねじ４９を野縁受４の基板部２０にねじ込んで一方部材４０を野縁受４に固定することにより、野縁取付具７と野縁受４とが強固に固定され、野縁受４の上下方向の動きが規制される。
このように、野縁６が野縁取付具７により野縁受４に取付けられたことにより、野縁６及び野縁受４の上下方向の動きが規制される。
尚、連結手段６０及び連結手段により取付けられる一方部材４０の立ち上がり部４６及び他方部材５０の上下板接触部５１とによって、野縁取付具７の野縁受４への取付部が構成される。
【００２１】
図４；５を参照し、補強取付具８を説明する。
図４に示すように、補強取付具８は、載置部７１、野縁取付部７２；７３、野縁受取付部７４；７５、貫通孔７６、貫通孔７７を備える。
載置部７１は、野縁６の一対の上板部３３；３４に跨るように上板部３３；３４の上面に載置される四角形状の平板により形成される。
野縁取付部７２；７３は、載置部７１において野縁受４の長尺な方向と直交する両側端７１ｃ；７１ｄより延長して載置部７１の板面と垂直な板面を有した平板により形成される。貫通孔７６は、ねじ７８を貫通させるための貫通孔であり、野縁取付部７２；７３の板面を貫通するように、野縁取付部７２；７３のそれぞれに形成される。
野縁取付部７２；７３は、載置部７１の両側端７１ｃ；７１ｄから下方に延長するとともに野縁受４の下板部２１の先端縁２１ａ側から下板部２１の下面の下を通過して野縁受４の基板部２０の外側の板面側に到達するように野縁６の長尺な方向に延長して形成される。野縁取付部７２；７３は、内側の板面が野縁６の一対の側板部３１；３２の外側の板面と接触した状態で、野縁６の一対の側板部３１；３２に貫通孔７６を介してねじ止めされて固定される。
野縁受取付部７４；７５は、野縁取付部７２；７３における野縁受４の基板部２０の外側の板面側に到達する側の先端より互いに離れる方向に延長して野縁取付部７２；７３の板面と垂直な板面を有した平板により形成される。貫通孔７７は、ねじ７９を貫通させるための貫通孔であり、野縁受取付部７４；７５の板面を貫通するように、野縁受取付部７４；７５のそれぞれに形成される。
野縁受取付部７４；７５は、野縁取付部７２；７３における野縁受４の基板部２０の外側の板面側に到達する側の先端より上方に延長して、板面が野縁受４の基板部２０の外側の板面に到達する長さに形成される。野縁受取付部７４；７５は、内側の板面が野縁受４の基板部２０の外側の板面と接触した状態で、野縁受４の基板部２０に貫通孔７７を介してねじ止めされて固定される。
載置部７１における野縁受４の長尺な方向に沿った側縁７１ａ；７１ｂのうちの一方の側縁７１ａが他方部材５０の上下板接触部５１の外側の板面と例えば数ｍｍ程度の間隔を介して対向し、当該一方の側縁７１ａと野縁受４の下板部２１の先端縁２１ａとで野縁取付具７の上下板接触部５１を挟み込むように載置部７１が位置されて補強取付具８が野縁６及び野縁受４にねじ止め固定されることで、当該一方の側縁７１ａが野縁取付具７の変形を抑制するストッパーとして機能する。
【００２２】
補強取付具８を用いた野縁取付方法の一例を説明する。
まず、載置部７１の一方の側縁７１ａを野縁６の上板部３３；３４間の開口３９（図１参照）を跨ぐように野縁６の上板部３３；３４の上面に接触させることで、野縁取付部７２；７３の内側の板面と野縁６の側板部３１；３２の外側の板面とを対面させ、かつ、野縁受取付部７４；７５の板面が水平となるような状態とする（図６（ａ）参照）。そして、載置部７１の下面が野縁６の開口３９を跨ぐ状態となるように補強取付具を矢印Ｆのように回転させることによって、載置部７１の一方の側縁７１ａ（倒れ規制側縁）を他方部材５０の上下板接触部５１の外側の板面と対向させ、かつ、野縁受取付部７４；７５の内側の板面を野縁受４の基板部２０の外側の板面と接触させる（図６（ｂ）参照）。そして、野縁取付部７２；７３の貫通孔７６にねじ７８を通してねじ７８を野縁６の側板部３１；３２にねじ込むことにより野縁取付部７２；７３を野縁６に固定するとともに、野縁受取付部７４；７５の貫通孔７７にねじ７９を通してねじ７９を野縁受４の基板部２０にねじ込むことにより、野縁受取付部７４；７５を野縁受４に固定する。
以上により、野縁６を野縁受４に取付けた野縁取付具７の他方部材５０の上下板接触部５１が補強取付具８の載置部７１の一方の側縁７１ａと野縁受４の下板部２１の先端縁２１ａとの間で挟み込まれた状態で、補強取付具８の野縁取付部７２；７３が野縁６の側板部３１；３２にねじ７８によりねじ止めされ、かつ、補強取付具８の野縁受取付部７４；７５が野縁受４の基板部２０にねじ７９によりねじ止めされることで、野縁６が補強取付具８によって野縁受４に取付けられる。
野縁６が補強取付具８によって野縁受４に取付けられたことにより、野縁６の延長方向（図１のＹ方向）及び野縁受４の延長方向（図１のＸ方向）の動きが規制され、野縁受４の倒れを抑制できるので、天井構成部材の落下を防止できる。尚、補強取付具８は、すべての野縁取付具７に対応して設けてもよいが、一部の野縁取付具７にのみ対応して設けるようにしてもよい。即ち、補強取付具８は、必ずしもすべての野縁取付具７に対応して設ける必要はなく、例えば、図外のブレース材の近傍に配置される野縁取付具７にのみ対応して設ければよい。
【００２３】
実施形態１によれば、野縁６が野縁取付具７により野縁受４に取付けられ、野縁６が補強取付具８によって野縁受４に取付けられたことにより、地震時等に、野縁受４に力が加わった場合、野縁６の延長方向（図１のＹ方向）及び野縁受４の延長方向（図１のＸ方向）の動きが規制され、野縁受４の倒れを抑制できるので、天井構成部材の落下を防止できる。
【００２４】
実施形態２
ハンガー及び野縁取付具として図７乃至図９に示すハンガー３Ａ及び野縁取付具７Ａを用いてもよい。尚、図７において図１乃至図６と同一部分は同一符号を付してその説明を省略する。
即ち、図７に示すように、ハンガー３Ａは、野縁受保持部１２Ａが、支持部１１Ａの下端部１１ａと、支持部１１Ａの延長方向の先端より取付部から離れる方向に延長して支持部１１Ａの板面と垂直でかつ取付部１０の板面と平行に対面する板面を有した四角形の平板により形成された下板部１３と、下板部１３の延長方向の先端より延長して支持部１１Ａの下端部１１ａの板面と平行に対面する板面を有した四角形の平板により形成された立ち上がり部１４Ａとによって、凹形状に形成される。そして、支持部１１Ａの下端部１１ａの上端部と立ち上がり部１４Ａの上端部とが互いに近づく方向に変形されて野縁受４の上方への移動を規制する規制部１００；１０１に形成される。規制部１０１には野縁受４の上板部２２の上面に係止する係止片１０２が切り込みによる板部により形成される。
【００２５】
野縁取付具７Ａは、一方部材４０Ａと、他方部材５０Ａとを備える。
図８に示すように、一方部材４０Ａは、支持部９１、係合部９２；９３、取付部９４を備える。支持部９１は、野縁受４の上板部２２の先端縁２２ａと下板部２１の先端縁２１ａとに跨るように上下方向に延長して野縁受４の基板部２０と互いに平行に位置される。係合部９２；９３は、支持部９１の下端部に錨のような形状に形成されて野縁６の左右一対の係合溝３７；３８に係合する。取付部９４は、載置部９５、係止部９６を備える。取付部９４は、支持部９１の上端より上板部２２の上面に沿って延長するように設けられる。載置部９５は、上板部２２の上面に載置される。係止部９６は、取付部９４の基板部２０の上端縁に対応する取付部９４の部位を境界部９８として下方に折曲されることによって載置部９５の先端より下方に延長して基板部２０の外側の板面に係止される（図１０参照）。取付部９４の先端９４ａの中央部から取付部９４の基端９４ｂ側に向けて取付部９４に切欠部９７が形成され、切欠部９７の左右両側に二股形状の係止部９６が設けられる。即ち、係止部９６が切欠部９７を隔てて独立した２つの細片により形成されたので、係止部９６の折曲作業が容易となる。
【００２６】
図９に示すように、他方部材５０Ａは、支持部８１、係合部８２；８３、取付部８４を備える。支持部８１は、野縁受４の基板部２０の外側の板面に沿って上下方向に延長して一方部材４０Ａの係止部９６；９６の外面を覆うように位置される。係合部８２；８３は、支持部８１の下端部に錨のような形状に形成されて野縁６の係合溝３７；３８と係合する。取付部８４は、上側載置部８５、取付操作部８７を備える。取付部８４は、支持部８１の上端より野縁受４の上板部２２の上面に沿って延長するように設けられる。上側載置部８５は、上板部２２の上面に載置された一方部材４０Ａの載置部９５の上面に載置される。取付操作部８７は、覆部８８、係止部８９；９０を備える。取付操作部８７は、上板部２２の先端縁２２ａに対応する部位を境界部８６として折曲されることによって上側載置部８５の先端より一方部材４０Ａの支持部９１の外面９１ｆ（図７参照）に沿って下方に延長する。取付操作部８７の覆部８８は、一方部材４０Ａの支持部９１の外面９１ｆを覆う。係止部８９；９０は、覆部８８の左右両側に設けられる。左右の係止部８９；９０は、覆部８８との境界部８６ａ；８６ｂを介して基板部２０の方向に互いに近づくように折曲されて上板部２２の下面の真下に位置され、かつ、一方部材４０Ａの支持部９１の両側縁に接触して支持部９１を挟持する。
【００２７】
他方部材５０Ａの境界部８６；８６ａ；８６ｂには、境界部８６；８６ａ；８６ｂに沿った細幅の貫通孔２４による折曲補助手段が形成される。折曲補助手段は境界部８６；８６ａ；８６ｂに沿った細幅の溝により形成してもよい。折曲補助手段を備えたことで、取付操作部８７の折曲作業、左右の係止部８９；９０の折曲作業が容易となる。
【００２８】
一方部材４０Ａの支持部９１の中央上部、及び、他方部材５０Ａの支持部８１の中央上部には貫通孔２５が形成され、貫通孔２５の下部の支持部９１；８１の部分はプレス加工などによって支持部９１；８１の板を一方向に突出させたいわゆるリブ部２６に形成される。このリブ部２６を備えるので、支持部９１；８１の強度を高くできる。貫通孔２５は、必要に応じて支持部９１；８１を野縁受４の基板部２０にねじ止めする際においてねじ止め用のガイド孔として利用できる。
【００２９】
野縁取付具７Ａによる野縁取付方法の一例を説明する。野縁受４の上板部２２の先端縁２２ａと下板部２１の先端縁２１ａとが位置する側より一方部材４０Ａを野縁６と野縁受４とに取付ける。つまり、一方部材４０Ａの係合部９２；９３を野縁６の係合溝３７；３８に嵌め込んで、支持部９１を上板部２２の先端縁２２ａと下板部２１の先端２１ａとに跨るように位置させ、載置部９５を上板部２２の上面に載置し、係止部９６；９６を境界部９８を境として下方に折り曲げる。次に、野縁受４の基板部２０の外側の板面が位置する側より他方部材５０Ａを野縁６と野縁受４とに取付ける。つまり、他方部材５０Ａの係合部８２；８３を野縁６の係合溝３７；３８に嵌め込んで、野縁受４の基板部２０の外側の板面に沿う支持部８１を一方部材４０Ａの係止部９６；９６の外面に位置させ、上側載置部８５を一方部材４０Ａの載置部９５の上面に載置し、取付部８４を境界部８６を境として下方に折り曲げた後、左右の係止部８９；９０を境界部８６ａ；８６ｂを境として基板部２０の方向に互いに近づくように折曲する。この場合、野縁受４に取付けられた一方部材４０Ａの支持部９１が、他方部材５０Ａの覆部８８と係止部８９；９０とによって三方から挟まれた状態となるように、左右の係止部８９；９０を野縁受４の基板部２０側に位置させる。以上により、野縁６が野縁取付装置５によって野縁受４に取付けられる。
【００３０】
実施形態２によれば、他方部材５０Ａが左右の係止部８９；９０を備え、左右の係止部８９；９０が、覆部８８との境界部８６ａ；８６ｂを介して野縁受４の基板部２０の方向に互いに近づくように折曲されて上板部２２の下面の真下に位置されることによって野縁受４の上板部２２の下面に係止される構造としたので、左右の係止部８９；９０と野縁受４との一体性が増す。さらに、一方部材４０Ａの支持部９１と他方部材５０Ａの左右の係止部８９；９０との係合が維持された状態となって、野縁受４の上面と両側部と下面とが野縁取付具７Ａと野縁６とによって囲まれ、野縁受４の両側部が野縁取付具７Ａによって挟持された状態となるので、野縁受４と野縁取付具７Ａと野縁６との一体性が増す。よって、地震の際においては、野縁６の下に取付けられた図外の天井ボードの端部が壁に衝突して野縁受４に衝撃が加わった場合でも、野縁取付具７Ａと野縁受４との係止状態が解除されにくくなり、天井構成部材の落下を防止できる。
そして、さらに、実施形態１で説明した補強取付具８が用いられ、野縁６を野縁受４に取付けた野縁取付具７Ａの一方部材４０Ａの支持部９１（野縁受４の上板部２２の先端縁２２ａ及び下板部２１の先端縁２１ａと接触する上下板接触部に相当する）が補強取付具８の載置部７１の一方の側縁７１ａと野縁受４の下板部２１の先端縁２１ａとの間で挟み込まれた状態で、補強取付具８の野縁取付部７２；７３が野縁６の側板部３１；３２にねじ７８によりねじ止めされ、かつ、補強取付具８の野縁受取付部７４；７５が野縁受４の基板部２０にねじ７９によりねじ止めされることで、野縁６が補強取付具８によって野縁受４に取付けられるので、地震時等に、野縁受４に力が加わった場合、野縁６の延長方向（図１のＹ方向）及び野縁受４の延長方向（図１のＸ方向）の動きが規制され、野縁受４の倒れを抑制できるので、天井構成部材の落下を防止できる。
【００３１】
実施形態３
図１０に示すように、上述した一方部材４０Ａのみを野縁取付具として用いた構成としてもよい。
即ち、野縁取付具としては、野縁受４の上板部２２の先端縁２２ａ及び下板部２１の先端縁２１ａと接触する上下板接触部としての支持部９１と、上下板接触部より下方に延長して野縁６の一対の上板部３３；３４間を介して野縁６の内側に位置されて野縁６の係合溝３７；３８と係合する係合部と、支持部９１より延長するように設けられて野縁受４に取付けられる取付部としての係止部９６を備えた構成の一方部材４０Ａのみを用い、補強取付具８としては、野縁取付具によって野縁受４に取付けられた野縁６の上面に載置されるとともに野縁受４の下板部２１の先端縁２１ａとで野縁取付具の上下板接触部を挟み込む載置部７１と、載置部７１の両方の側端より野縁受４の下板部２１の下方を通過するように設けられて野縁６の両方の側板部３１；３２にねじ止めされる一対の野縁取付部７２；７３と、各野縁取付部７２；７３より延長して野縁受４の基板部２０にねじ止めされる一対の野縁受取付部７４；７５とを備えた構成のものを用いればよい（図１参照）。
【符号の説明】
【００３２】
４  野縁受、５  野縁取付装置、６  野縁、７  野縁取付具、８  補強取付具、
２０  基板部、２１  下板部、２１ａ  先端縁、２２  上板部、２２ａ  先端縁、
３７；３８  係合溝、４３；４４；５３  係合部、５１  上下板接触部、７１  載置部、７２；７３  野縁取付部、７４；７５  野縁受取付部。
【図１】
0005863346.tif 000002
【図２】
0005863346.tif 000003
【図３】
0005863346.tif 000004
【図４】
0005863346.tif 000005
【図５】
0005863346.tif 000006
【図６】
0005863346.tif 000007
【図７】
0005863346.tif 000008
【図８】
0005863346.tif 000009
【図９】
0005863346.tif 000010
【図１０】
0005863346.tif 000011